(57)【要約】【課題】シンプルな構成且つ良好な操作性により、所望の画像データを迅速に検索できるようにすること。【解決手段】日時情報及び撮影位置情報と関連付けされて記録手段に記録された画像データの中から、上記日時情報及び上記撮影位置情報のうち少なくとも何れか一つの情報を参照することで、ユーザーにより指定されたイベントテーマに該当する画像データを検索する。【選択図】      図２
2007164269.tif 000002
【特許請求の範囲】
【請求項１】
所望のイベントに関連する画像データを検索する手がかりとなるイベントテーマを指定する為の指定手段と、
上記指定手段を用いて指定されたイベントテーマに基づいて、日時情報及び撮影位置情報と関連付けされて記録部に記録された画像データの中から、上記日時情報及び上記撮影位置情報のうち少なくとも何れか一つの情報を参照する参照手段と、
上記参照手段の参照結果に基づいて、上記所望の画像データを検索する為の検索手段と、
を具備することを特徴とする検索装置。
【請求項２】
画像表示を行う表示手段を含み、
上記表示手段には、上記イベントテーマに該当する画像データを指定する指標となるキーワードまたはイメージが表示されることを特徴とする請求項１に記載の検索装置。
【請求項３】
画像表示を行う表示手段と、音声データを再生する音声再生手段と、上記画像データと上記音声データとを対応付けて記録する記録手段と、を含み、
上記音声再生手段は、上記検索された画像データの上記表示手段での再生表示時に、該画像データと対応付けされた音声データを再生することを特徴とする請求項１に記載の検索装置。
【請求項４】
撮影動作を行い画像データを取得する撮影手段と、
日時情報を出力する時計手段と、
当該検索再生装置の位置情報であるＧＰＳ情報を取得するＧＰＳ手段と、
所定の地域間の時差を示す時差情報及び所定の地域におけるイベント情報が記録されているデータベースと、
上記ＧＰＳ情報と上記時差情報とを参照して上記日時情報を補正する補正手段と、
上記画像データを、上記補正された日時情報及び上記ＧＰＳ情報と関連付けして記録する記録手段と、
ユーザーにより指定されたテーマに該当する画像データを、上記記録手段に記録された画像データの中から、上記日時情報及び上記ＧＰＳ情報のうち少なくとも何れか一つの情報及び上記イベント情報を参照して検索する検索手段と、
上記検索手段により検索された画像データを再生させる再生手段と、
を具備することを特徴とする検索再生装置。
【請求項５】
上記イベント情報は、所定の地域の連休及び祝日の情報を示す祝祭日情報を含むことを特徴とする請求項４に記載の検索再生装置。
【請求項６】
上記データベースには、上記イベント情報に対応する画像データであるコンテンツ画像データが更に記録され、
上記検索手段の検索した画像データの上記再生手段での再生時には、上記コンテンツ画像データも適宜再生されることを特徴とする請求項４に記載の検索再生装置。
【請求項７】
所定のイベント情報に対して、該イベント情報に関連する画像データ及び音楽データが対応付けられて記録されたデータベースメモリと、
ユーザーにより選択されたイベント情報に基づいて、該イベント情報に対応する画像データ及び音楽データを、上記データベースメモリから検索して同時に再生する検索再生制御手段と、
を具備することを特徴とする画像再生装置。
【発明の詳細な説明】
【技術分野】
【０００１】
本発明は、例えばデジタルカメラ等にて撮影された多数の画像データの中から、ユーザーの所望の画像データを迅速に検索する検索装置、検索再生装置及び画像再生装置に関する。
【背景技術】
【０００２】
近年広く普及しているデジタルカメラは、従来のフィルムカメラと異なり、撮影した多量の画像データを、当該デジタルカメラの具備する記録手段に記録して保存できる。また、デジタルカメラは一般に、例えばＬＣＤ等からなる表示手段を具備するので、上記記録手段に記録した多量の画像データをプリントせずに、上記表示手段に表示させて鑑賞することができる。
【０００３】
しかしながら、この鑑賞方法では、上記記録手段に記録された多量の画像データの中から所望の画像データを検索するのに非常に手間がかかり、ユーザーにストレスを感じさせることが多い。
【０００４】
このような事情に鑑み、例えば特許文献１には、画像データの検索操作の向上を図る為の技術が公開されている。この技術によれば、検索する画像データに係る人の名前とそのときのイベント内容を指定し、そのイベント内容が係る時期を生年月日情報と関連付けて換算し、その換算された日付け情報と一致する撮影日の画像データ若しくはその近日の画像データを表示するように、ＣＰＵが制御する。
【特許文献１】特開２００２−３５８３０６号公報
【発明の開示】
【発明が解決しようとする課題】
【０００５】
しかしながら、上記特許文献１に開示された技術では、ユーザーが、画像データに対して分類用の設定（例えば名前及び生年月日等の設定）を予め行っておかなければならない。さらに、検索時には文字を数多く入力する必要があり、このことに起因して入力装置等においてハード的に大掛かりな構成とせざるを得なかった。
【０００６】
本発明は、上記の事情に鑑みてなされたもので、シンプルな構成且つ良好な操作性により、所望の画像データを迅速に検索できる検索装置、検索再生装置及び画像再生装置を提供することを目的とする。
【課題を解決するための手段】
【０００７】
上記の目的を達成するために、本発明の検索装置の一態様は、所望のイベントに関連する画像データを検索する手がかりとなるイベントテーマを指定する為の指定手段と、上記指定手段を用いて指定されたイベントテーマに基づいて、日時情報及び撮影位置情報と関連付けされて記録部に記録された画像データの中から、上記日時情報及び上記撮影位置情報のうち少なくとも何れか一つの情報を参照する参照手段と、上記参照手段の参照結果に基づいて、上記所望の画像データを検索する為の検索手段と、を具備することを特徴とする。
【０００８】
上記の目的を達成するために、本発明の検索再生装置の一態様は、撮影動作を行い画像データを取得する撮影手段と、日時情報を出力する時計手段と、当該検索再生装置の位置情報であるＧＰＳ情報を取得するＧＰＳ手段と、所定の地域間の時差を示す時差情報及び所定の地域におけるイベント情報が記録されているデータベースと、上記ＧＰＳ情報と上記時差情報とを参照して上記日時情報を補正する補正手段と、上記画像データを、上記補正された日時情報及び上記ＧＰＳ情報と関連付けして記録する記録手段と、ユーザーにより指定されたテーマに該当する画像データを、上記記録手段に記録された画像データの中から、上記日時情報及び上記ＧＰＳ情報のうち少なくとも何れか一つの情報及び上記イベント情報を参照して検索する検索手段と、上記検索手段により検索された画像データを再生させる再生手段と、を具備することを特徴とする。
【０００９】
上記の目的を達成するために、本発明の画像再生装置の一態様は、所定のイベント情報に対して、該イベント情報に関連する画像データ及び音楽データが対応付けられて記録されたデータベースメモリと、ユーザーにより選択されたイベント情報に基づいて、該イベント情報に対応する画像データ及び音楽データを、上記データベースメモリから検索して同時に再生する検索再生制御手段と、を具備することを特徴とする。
【発明の効果】
【００１０】
本発明は、シンプルな構成且つ良好な操作性により、所望の画像データを迅速に検索できる検索装置、検索再生装置及び画像再生装置を提供することができる。
【発明を実施するための最良の形態】
【００１１】
以下、図面を参照して、本発明の一実施形態に係る検索装置、検索再生装置及び画像再生装置を説明する。なお、ここでは、検索装置、検索再生装置及び画像再生装置の一例としてデジタルカメラを用いて説明する。
【００１２】
図１は、本実施形態に係るデジタルカメラが想定している実際の利用状態を示す図である。すなわち、本実施形態に係るデジタルカメラは、図１（ａ）に示すように撮影に利用され、図１（ｂ）に示すように画像データの鑑賞にも利用されることを想定している。
【００１３】
具体的には、ユーザー２は、図１（ａ）に示すようにデジタルカメラ４を構えて撮影を行い、図１（ｂ）に示すように、所望の画像データを、操作手段６ａを操作しながら表示手段８に表示させて鑑賞する。なお、図１（ｃ）は、図１（ｂ）に示すようにユーザーが鑑賞操作を行っている場合であって、所望の画像データの検索時に表示手段８に表示されるサムネイル表示画面の一例を示している（詳細は後述する）。
【００１４】
以下、本実施形態に係るデジタルカメラにおける画像データの検索方法を、図２を参照して概略的に説明する。図２は、本実施形態に係るデジタルカメラの画像データの検索時に、表示手段８に表示される検索表示画面の一例を示す図である。すなわち、同図は、本実施形態に係るデジタルカメラの画像データの検索方法の一例を示している。
【００１５】
すなわち、本実施形態に係るデジタルカメラでは、画像データ検索時の手がかりの一つとして、図２（ａ）に示すようにイベント、時期、及び季節等の何れかを表す単語、また図２（ｂ）に示すようにイベント、時期、及び季節等の何れかを表すキャラクタやイメージを利用する。
【００１６】
このことは、撮影日、ファイル名、及びカレンダー表示等の情報を、画像データ検索時の手がかりとしていた従来の技術と大きく異なる点である。すなわち、従来の技術によれば、画像データ検索時に、撮影日等に代表される具体的な情報を、ユーザーが記憶している必要があるに対して、本実施形態に係るデジタルカメラではその必要はない。つまり、撮影日等に代表される具体的な情報をユーザーが忘れてしまった場合であっても、所望の画像データの迅速な検索が可能となる。
【００１７】
なお、具体的には、図２（ａ）は、“夏休み”、“年末年始”、及び“ＧＷ（ゴールデンウィーク）”のキーワードによる検索、図２（ｂ）は“虫取り少年”、“クリスマス”、“山ホトトギス”、“鏡餅”のイメージによる検索の検索時の表示手段８における検索画面を示している。
【００１８】
ここで、図２（ｂ）における表示手段８の左上部に示されている“麦わら帽子と虫取り網”のイメージは、図２（ａ）に示す“夏休み”と同様の分類を表すが、図２（ｂ）に示すようにイメージによる検索の場合には、よりユーザーの直感に訴える形での表示となる。また、図２（ｂ）における表示手段８の右上部に示されている“山ホトトギス”は、図２（ａ）に示す“ＧＷ”と同様の分類を示す。なお、図２（ｂ）に示す検索に用いるイメージは、あくまでも一例に過ぎず、ユーザーに対応して、様々なイメージに対して様々な分類を設定可能であることは勿論である。
【００１９】
ところで、ユーザーが上記キーワードや上記イメージから、何れかの分類を選択した場合の操作は、例えば以下のようにする。すなわち、キーワードによる検索の場合には、上記操作手段６ａを操作して、図２（ａ）に示すように所望のキーワードに△マークをあわせる。一方、イメージによる検索の場合には、上記操作手段６ａを操作して、図２（ｂ）に示すように所望のイメージに枠（□）の縁取りを合わせる。このように、ユーザーが、所望の分類に該当するキーワードまたはイメージを選択すると、図１（ｃ）に示すように、その選択に該当する画像データの一覧がサムネイル表示される。
【００２０】
以下、本実施形態に係るデジタルカメラのシステムブロック図である図３を参照して、当該デジタルカメラのシステム構成を説明する。
【００２１】
まず、画像データの撮影及び再生等の一連の動作を司るのは、マイクロコントローラ等からなるＣＰＵ６である。このＣＰＵ６により、ユーザーによる操作手段６ａの操作が判定され、当該デジタルカメラのシーケンスが制御される。すなわち、ＣＰＵ６により、当該デジタルカメラのシステムにおける各ブロックに制御信号の送信、及び各ブロックからの信号の受信が行われ、当該デジタルカメラにおける一連の動作制御が行われる。
【００２２】
なお、画像データの撮影時には、ＣＰＵ６により、撮影用のレンズ、イメージャ（撮像素子）、Ａ／Ｄ変換回路、オートフォーカス、オートホワイトバランスの回路、及び露出回路等からなる撮影ブロック１０が制御され、この撮影ブロック１０からデジタル映像信号である画像データが、画像処理回路１２へ出力される。この画像処理回路１２では、上記画像データが所定の処理を施されて圧縮された後、メモリ１４へ記録される。
【００２３】
また、画像データの再生表示時には、上記メモリ１４から画像処理回路１２へ当該画像データが出力され、画像処理回路１２にて伸張処理された後、上記表示手段８に再生表示される。
【００２４】
そして、本実施形態に係るデジタルカメラには、位置情報であるＧＰＳ情報を取得するＧＰＳ手段１６が設けられている。なお、このＧＰＳ手段１６は、衛星からの電波信号を受信して、当該デジタルカメラの位置の緯度や経度の情報に変換する一般的なＧＰＳ手段を想定している。このＧＰＳ手段１６の代わりに、手動にて位置情報を選択または入力することができる位置情報入力手段（不図示）を設け、手動により位置情報を入力する構成としても勿論よい。
【００２５】
なお、上記ＧＰＳ手段１６が取得したＧＰＳ情報は、該ＧＰＳ情報に対応する画像データと関連付けされ上記メモリ１４に記録される。さらに、画像データには、撮影時における日時を示す日時情報（時計手段１８の計時による）も関連付けされる。ここで、時計手段１８は、日時情報を提供する機能及び時間の計測をするタイマ機能を有する。
【００２６】
以上説明したように、メモリ１４内に記録される画像データには、上記ＧＰＳ情報及び上記日時情報が関連付けされている。すなわち、上記ＧＰＳ情報及び上記日時情報を手がかりとした、所望の画像データの検索を行うことが可能となる。
【００２７】
なお、上記日時情報は日本国内において正確であっても、旅行等で他国に行った場合には、時差の影響で補正が必要となる場合がある。したがって、このような日付けのズレを補正する為の補正手段２０が設けられている。すなわち、この補正手段２０は、上記ＧＰＳ情報を参照して時差情報を求め（詳細は後述）、この時差情報を参照して上記日時情報の補正を行う。
【００２８】
ところで、データベース２２には、各国地域における日本国との時差情報、及び各国地域における祝祭日情報等の地域情報が、図４のようにテーブル形式で記録されている。したがって、これら地域情報を参照すれば、日時情報の補正のみならず、各国地域におけるイベントや祝祭日を特定できる。なお、例えばイベントとしては、イースター、ハロウィン、サンクスギビングデイ、国慶節等、種々の行事に対応するようデータベースを作成しても勿論よい。
【００２９】
なお、上記地域情報は、具体的には図４に示すように、各国地域（例えば、日本、中国、アメリカ西海岸等）毎の、ＧＰＳ情報（例えば緯度、経度等）、外国地域においては日本国との時差情報、及び各国地域毎のカレンダー上における休日情報等を含む。
【００３０】
また、上記データベース２２等を参照して、上記メモリ１４に記録した画像データの中から所望の画像データの検索（詳細は後述）を行う場合には、ＣＰＵ６の制御を受けて検索手段２４が上記メモリ１４を検索する。
【００３１】
以下、図５Ａ及び図５Ｂに示すフローチャートを参照して、本実施形態に係るデジタルカメラにおけるＣＰＵ６による動作制御の一例を説明する。なお、同フローチャートは、本実施形態に係るカメラのメインフローチャートであり、ユーザーにより不図示のＰＯＷＥＲ ＳＷ（電源）がＯＮされると自動的に起動される動作制御のフローチャートである。
【００３２】
まず、ユーザーによる操作手段６ａの操作で、撮影開始操作が為されたか否かを判断する（ステップＳ１）。このステップＳ１にて撮影開始操作が為されたと判断した場合には、ステップＳ２に分岐して撮影シーケンスに移行する。
【００３３】
すなわち、上記撮影ブロック１０に、撮影レンズのピント合わせを行わせ（ステップＳ２）、さらに適正な光量がイメージャに入射するように露出の制御を行わせる（ステップＳ３）。そうして上記イメージャで得られた画像データは、画像処理回路１２によりＡ／Ｄ変換され、さらに所定のデジタル画像処理が施される（ステップＳ４）。その後、画像データは、画像処理回路１２により画像圧縮処理を施された後、メモリ１４へ記録される（ステップＳ５）。
【００３４】
次に、本実施形態においては、ＧＰＳ手段１６に、撮影操作が行われた場所のＧＰＳ情報を取得させる（ステップＳ６）。その後、該ステップＳ６におけるＧＰＳ情報の取得が成功したか否かを判断する（ステップＳ７）。このステップＳ７は、例えば建物の陰等、衛星からの電波が弱い場所での操作に起因する、ＧＰＳ情報の取得の失敗を考慮したステップである。このステップＳ７において、ＧＰＳ情報の取得が成功していないと判断した場合、前回入手したＧＰＳ情報をＧＰＳ情報とする（ステップＳ８）。その後、時計手段１８に、上記の撮影操作時の日時情報を、以下に記すようにして取得させてメモリ１４へ記録する（ステップＳ９）。
【００３５】
ここで、上記ステップＳ９において撮影操作時の日時情報を取得する為には、上記ステップＳ１におけるユーザーによる操作手段６ａの操作で撮影開始操作が為された時点から、上記ステップＳ７または上記ステップＳ８にて当該撮影におけるＧＰＳ情報の取得が終了する時点までの処理時間を、上記時計手段１８のタイマ機能にて計測させておき、この計測結果に基づいて、ステップＳ９の時点での時計手段１８の日時情報に対して、上記補正手段２０に補正を行わせることで取得できる。なお、このような補正をせず、ステップＳ９時点での時計手段１８の日時情報をそのまま用いても勿論よい。
【００３６】
その後、上記ステップＳ６にて取得したＧＰＳ情報、及び上記ステップＳ９にて取得した日時情報を、ステップＳ５で記録された画像データと関連付けしてメモリ１４に記録す（ステップＳ１０）。なお、このステップＳ１０は、例えば図６に示すフローチャートのサブルーチンとすることで、全世界対応の日時情報取得ステップとなる。以下、このサブルーチンを説明する。
【００３７】
まず、検索手段２４に、上記ステップＳ６にて取得したＧＰＳ情報と上記データベース２２とを参照しての時差情報の検索を行わせる（ステップＳ４１）。つづいて、補正手段２０に、上記時差情報を参照しての上記日時情報の補正を行わせる（ステップＳ４２）。このステップＳ４２により、撮影が行われた場所の正確な日時情報が取得できる。なお、このステップＳ４２においては、更にサマータイム等を表す情報を加味した補正を行っても勿論よい。
【００３８】
そして、このように補正が行われた後の日時情報を実際に用いる日時情報とし（ステップＳ４３）、上記ステップＳ６にて取得したＧＰＳ情報、及び上記ステップＳ４３にて取得した補正後の日時情報を、ステップＳ５で記録された画像データと関連付けしてメモリ１４に記録する（ステップＳ４４）。
【００３９】
上記ステップＳ１０での処理後、ユーザーにより不図示のＰＯＷＥＲ ＳＷがＯＦＦされたか否かを判断する（ステップＳ１１）。このステップＳ１１で、不図示のＰＯＷＥＲ ＳＷがＯＦＦされたと判断した場合は、当該デジタルカメラをシャットダウンする。一方、上記ステップＳ１１で、不図示のＰＯＷＥＲ ＳＷがＯＦＦされていないと判断した場合は、上記ステップＳ１へ戻る。
【００４０】
ところで、上記ステップＳ１において、撮影操作が為されていないと判断した場合には、ユーザーによる操作手段６ａの操作により、再生モードが選択されたか否かを判断する（ステップＳ１２）。このステップＳ１２において、再生モードが選択されていないと判断した場合には、ＧＰＳ手段１６に、現在位置のＧＰＳ情報を取得させ、メモリ１４へ記録する（ステップＳ１３）。つづいて、このステップＳ１３にてＧＰＳ情報の取得が成功したか否かを判断する（ステップＳ１４）。このステップＳ１４において、ＧＰＳ情報の取得が成功していないと判断した場合、前回入手したＧＰＳ情報を今回もＧＰＳ情報として設定する（ステップＳ１５）。
【００４１】
上記ステップＳ１４においてＧＰＳ情報の取得が成功したと判断した後、または上記ステップＳ１５において前回入手したＧＰＳ情報をＧＰＳ情報とした後、上記ステップＳ１へ戻る。上記ステップＳ１５により、たとえ衛星からの電波受信がうまくいかない場合であっても、現在位置に近い位置のＧＰＳ情報を取得することができる。
【００４２】
なお、ユーザーにより撮影開始操作及び再生モードの選択が為されていない場合は、上記ステップＳ１、上記ステップＳ１２、上記ステップＳ１３、上記ステップＳ１４、及び上記ステップＳ１５からなるループにより、適宜ＧＰＳ情報の更新が行われる。
【００４３】
また、上記ステップＳ１２において、再生モードが選択されたと判断した場合は、検索モードが選択されたか否かを判断する（ステップＳ２１）。ここで、検索モードとは、所望の画像データを検索して表示手段８に再生表示させるモードである。
【００４４】
上記ステップＳ２１において、検索モードが選択されていないと判断した場合には、前回撮影した（最近の）画像データを検索手段２４に検索させ、表示手段８に表示させる（ステップＳ３１）。その後、ユーザーの操作手段６ａによる操作で、画像データの切り替え操作が行われれば、その操作を検出し（ステップＳ３２）、該操作に従って、表示手段８に表示させる画像データの切り替えを行う（ステップＳ３３）。
【００４５】
つづいて、ユーザーにより操作手段６ａにて、再生モードを終了する旨の操作がなされているか否かを判断する（ステップＳ３４）。このステップＳ３４にて、再生モードを終了する旨の操作が為されていると判断した場合は、上記ステップＳ１へ戻る。一方、上記ステップＳ３４にて、再生モードを終了する旨の操作が為されていないと判断した場合は、上記ステップＳ３２へ戻る。
【００４６】
ところで、上記ステップＳ２１において、検索モードが選択されていると判断した場合は、例えば図２（ｂ）に示すようなイメージ表示による検索の表示画面を、表示手段８に表示させる（ステップＳ２２）。その後、図２（ａ）に示すようなキーワード表示による検索に切り換える旨の、ユーザーによる操作手段６ａの操作が行われたか否かを判断する（ステップＳ２３）。このステップＳ２３において、キーワード表示による検索に切り換える旨の操作が行われたと判断した場合は、キーワード表示による検索の表示画面を、表示手段８に表示させる（ステップＳ２４）。
【００４７】
そして、上記ステップＳ２２にて表示されたイメージ表示による検索、または上記ステップＳ２４にて表示されたキーワード表示による検索、の何れかの表示画面において、ユーザーによる操作手段６ａの操作で、何れかのイメージまたはキーワードが選択されたか否かを判断する（ステップＳ２５）。このステップＳ２５において、何れのイメージまたはキーワードも選択されていないと判断した場合、検索モードの終了操作が行われたか否かを判断する（ステップＳ２６）。このステップＳ２６にて、検索モードの終了操作が行われていないと判断した場合には上記ステップＳ２５へ戻る。
【００４８】
一方、上記ステップＳ２６にて、検索モードの終了操作が行われたと判断した場合には、ユーザーにより不図示のＰＯＷＥＲ ＳＷがＯＦＦされたか否かを判断する（ステップＳ３５）。このステップＳ３５で、不図示のＰＯＷＥＲ ＳＷがＯＦＦされたと判断した場合は、当該デジタルカメラをシャットダウンする。一方、上記ステップＳ３５で、不図示のＰＯＷＥＲ ＳＷがＯＦＦされていないと判断した場合は、上記ステップＳ１へ戻る。
【００４９】
また、上記ステップＳ２５において、何れかのイメージまたはキーワードが選択されたと判断した場合には、該選択に該当する分類の画像データをメモリ１４内の画像データから検索手段２４に検索させ、例えば図１（ｃ）に示すような表示にて表示手段８に一覧表示させる（ステップＳ２７）。
【００５０】
その後、上記ステップＳ２７にて一覧表示された画像データの中から、ユーザーによる操作手段６ａの操作で、更に特定の画像データが選択されたか否かを判断する（ステップＳ２８）。そして、上記ステップＳ２７において選択された画像データを、表示手段８に拡大表示させる（ステップＳ３０）。その後、上述したステップＳ３５へ進み、ユーザーにより不図示のＰＯＷＥＲ ＳＷがＯＦＦされたか否かを判断する。すなわち、上記ステップＳ３５で不図示のＰＯＷＥＲ ＳＷがＯＦＦされたと判断した場合には当該デジタルカメラをシャットダウンし、上記ステップＳ３５で不図示のＰＯＷＥＲ ＳＷがＯＦＦされていないと判断した場合には上記ステップＳ１へ戻る。
【００５１】
ところで、上記ステップＳ２８において、何れの画像データも選択されていないと判断した場合は、再生表示の終了操作が行われたか否かを判断する（ステップＳ２９）。このステップＳ２９において、上記終了操作が行われていないと判断した場合には上記ステップＳ２８へ戻る。また、上記ステップＳ２９において、上記終了操作が行われたと判断した場合には、上記ステップＳ３５へ進み上述した処理を行う。
【００５２】
以上説明したように、本実施形態によれば、シンプルな構成且つ良好な操作性により、所望の画像データを迅速に検索できる検索装置、検索再生装置及び画像再生装置、例えばデジタルカメラ等を提供することができる。なお、このようなデジタルカメラは、効率的に鑑賞できるアルバム機能付きデジタルカメラであるとも言える。
【００５３】
以上、一実施形態に基づいて本発明を説明したが、本発明は上述した実施形態に限定されるものではなく、本発明の要旨の範囲内で種々の変形及び応用が可能なことは勿論である。
【００５４】
［第１変形例］
例えば、図３に示す構成及び図５Ｂに示すフローチャートの一部を、以下のように変形することにより、上述のように画像データを分類記録して作成したいわゆる電子アルバムを、より効率的に再生することができる検索装置、検索再生手装置及び画像再生装置を提供することができる。
【００５５】
すなわち、本変形例では当該デジタルカメラに、図３に破線で示す音楽再生ユニット３０及びスピーカー３２を更に設ける。また、上記メモリ１４又は上記データベース２２には後述する所定の音楽データを予め記録させておく。なお、上述した検索に用いるキーワードまたはイメージの分類と、上記音楽データとを適宜対応付けして記録させておいても勿論よい。このようなシステム構成において、上記音楽データと上記画像データとを同時に再生させることで、いわゆるスライドショー形式の再生を行う電子アルバム機能を提供することができる。
【００５６】
ここで、図２（ａ），（ｂ）で示したようなキーワード又はキャラクタは、ユーザーに対して一定のイメージを想起させる。そこで、上記音楽データとしては、それらのイメージに合致する音楽データを予め上記メモリ１４又は上記データベース２２に記録させておけばよい。なお、図７に示す対応音楽例表は上記音楽データの一例であり、上記音楽データとしては同図に示すように、“ベートーヴェン第９交響曲”、“マーラー第３交響曲”、“シューマン第１交響曲”、及び“ブルックナー第４交響曲”等が挙げられる。
【００５７】
そして、図５Ｂに示す上記ステップＳ２５より図８に示す一連のステップを経て、上記ステップＳ３５へ移行する。以下、図８に示す一連のステップを説明する。
【００５８】
まず、検索手段２４に、上記ステップＳ２５で選択されたテーマに該当する音楽データを、メモリ１４に記録された音楽データの中から検索させ、該当する音楽データを上記音楽再生ユニット３０に再生開始させる（ステップＳ５１）。つづいて、検索手段２４に、上記ステップＳ２５で選択されたテーマに該当する画像データ、または後述するステップＳ５４にて指定された画像データ（ステップＳ５４からリターンして本ステップに入った場合）、を上記メモリ１４に記録された画像データの中から検索させ、該当する画像データを上記表示手段８に一枚表示させる（ステップＳ５２）。なお、このステップＳ５２で表示させる画像データは、最近の撮影順等、ユーザーの好みに応じてどのような基準で選択しても構わない。
【００５９】
そして、上記時計手段１８からの出力から、所定時間が経過したか否かを判断する（ステップＳ５３）。このステップＳ５３において、所定時間が経過したと判断した場合は、次に表示する画像データの候補を指定する（ステップＳ５４）。なお、このステップＳ５４で指定する次に表示する画像データの候補としては、ユーザーの好みに応じてどのような基準で選択しても構わない。その後、上記ステップＳ５２へ戻る。
【００６０】
一方、上記ステップＳ５３において、所定時間が経過していないと判断した場合には、再生中の上記音楽データの曲調が変化したか否かを判断する（ステップＳ５６）。なお、上記音楽データの曲調が、どのようなタイミングで変化するか等の詳細な情報を、メモリ１４またはデータベース２２に記録させておいても勿論よい。
【００６１】
上記ステップＳ５６において、曲調が変化したと判断した場合には上記ステップＳ５４へ進む。一方、上記ステップＳ５６において、曲調が変化していないと判断した場合には、ユーザーによる操作手段６ａの操作で、再生終了の操作が為されたか否かを判断する（ステップＳ５７）。このステップＳ５７において、再生終了の操作が為されたと判断した場合には、画像データ及び音楽データの再生を終了させて（ステップＳ５８）、図５Ｂに示すフローチャートへ戻る。また、上記ステップＳ５７で、再生終了の操作が為されていないと判断した場合には、上記ステップＳ５３へ戻る。
【００６２】
以上説明したように、本変形例によれば、所定の分類テーマに基づいた音楽データを、画像データと同時に再生することで、例えば図９に示すように、それぞれの画像データと共に適切なＢＧＭの再生が適切なタイミングにて行われ、よりインパクトのある画像鑑賞が可能な検索装置、検索再生装置及び画像再生装置を提供することができる。
【００６３】
なお、上記音楽データについては、上記音楽データが予め記録された記録メディア（メモリ）を店頭で購入するような形態をとることもできる。また、分類テーマと音楽データとの対応付けに関しては、ユーザーによる設定を可能としても、一般的に受け入れられる対応付けであれば（例えば、日本における年末の「ベートーヴェン交響曲第９番」等）、その対応付けを予めカメラメーカーが当該デジタルカメラ等に記録しておいても勿論よい。
【００６４】
［第２変形例］
また例えば、図８に示すフローチャートの上記ステップＳ５４を、図１０に示すフローチャートのサブルーチンに置き換えると、画像データの特徴を利用して再生する画像データを取捨選択することで飽きのこない画像データ鑑賞をすることができる検索装置、検索再生装置及び画像再生装置を提供することができる。以下、図１０に示すフローチャートを参照して説明する。
【００６５】
まず、表示手段８に再生表示中の画像データにおける特徴（例えば色や明暗の変化等）を抽出し（ステップＳ６１）、次に再生される予定の画像データ（以下、次再生候補画像データと称する）についても同様に特徴を抽出する（ステップＳ６２）。そして、上記ステップＳ６１で抽出した画像データの特徴と、上記ステップＳ６２で抽出した次再生候補画像データの特徴とを比較し、それら二枚の画像データが類似の画像データであるかの類似判定を行う（ステップＳ６３）。
【００６６】
つづいて、上記ステップＳ６３における類似判定結果に基づいて、上記二枚の画像データが類似の画像データであるか否かを判断する（ステップＳ６４）。このステップＳ６４において、上記二枚の画像データが類似であると判断した場合には、次再生候補画像データの一枚後の画像データを、次再生候補画像データと設定して（ステップＳ６６）、上記ステップＳ６２へ戻る。
【００６７】
他方、上記ステップＳ６４において、上記二枚の画像データが類似でないと判断した場合には、上記ステップＳ６２で特徴を抽出した次再生候補画像データを、次に表示手段８に表示させる画像データとして指定する（ステップＳ６５）。
【００６８】
以上説明したように、本変形例によれば、似たような画像データばかりが続けて表示されることによる鑑賞時の飽きが生じないような画像データの再生を行うことができる検索装置、検索再生装置及び画像再生装置を提供することができる。
【００６９】
なお、本変形例においては、一枚の画像データを全画面表示する表示方法を例に述べたが、例えば図１１（ａ）及び（ｂ）に示すように、画面をいくつかに分割して複数の画像データを同時に表示するような表示方法を用いても勿論よい。この場合には、例えば同時に表示している画像データのうち一枚または二枚等、所望の枚数の画像データの表示を切り替えていく方法も考えられる。
【００７０】
［第３変形例］
また、例えば図１２に示すようなサブ画像等対応情報を、上記データベース２２に持たせることで、ユーザーが更に充実した鑑賞をすることができる検索装置、検索再生装置及び画像再生装置を提供することができる。
【００７１】
すなわち、本変形例においては、図１２に示すように一つの分類（例えばここでは卒業式）に対して、メインに表示する画像データ、サブに表示する画像データ、及びそれら画像データに相応しい音楽データ等を対応付けしたサブ画像等対応情報を、上記データベース２２に記録させておく。
【００７２】
具体的には、図１２に示すサブ画像等対応情報に基づいた画像表示をする例では、卒業式というテーマに対し、メイン画像として、卒業式の日付け近くの画像データを大きな画面でメイン表示する。なお、サブ画像としては、メイン表示する画像データの撮影日より一年程前までを検索範囲とし、且つ上記ＧＰＳ情報を利用することで学校を含むその近辺で撮影された画像データを選択し、その画像データを小さな画面でサブ表示する。また、それら画像データの表示と共に、音楽データとしてモーツァルト セレナード第９番を再生する。
【００７３】
以上説明したように、本変形例によれば、メイン表示及び該メイン表示を補助するサブ表示により、より充実した鑑賞をすることができる検索装置、検索再生装置及び画像再生装置を提供することができる。
【００７４】
［第４変形例］
なお、上記第３変形例において、上記サブ画像等対応情報として、更に各分類におけるおすすめのコンテンツ画像データ（当該デジタルカメラにより撮影したのではない画像データ）を記録しておいてもよい。つまり、図１２に示すサブ画像等対応情報のデータベース表の※の部分に、コンテンツ画像データを所望数だけ記録しておく。具体的には、おすすめコンテンツ画像データの画像データを予めメモリ１４に記録しておいたり、インターネット配信等によりメモリ１４内にその画像を入力できるような構成を採らせたりすることが考えられる。
【００７５】
なお、このコンテンツ画像データとしては例えば、一般の人が撮影できないような特別な機材で撮影した写真（図１３に示す例では、（ａ）の超望遠写真、（ｂ）の天体写真、（ｃ）の水中写真）等の画像データが挙げられる。また、上記コンテンツ画像データとしては、写真以外にも、例えば地図や文書等のコンテンツ（図１４に示す例では、（ａ）の世界地図、（ｂ）の作曲名の自筆楽譜、（ｃ）の有名な絵画）を用いても勿論よい。
【００７６】
以下、本変形例における、再生表示のフローチャートである図１５のフローチャートを説明する。なお、上述した図５Ｂに示す上記ステップＳ２５より図１５に示すフローチャートの一連のステップを経て、上記ステップＳ３５へ移行する。
【００７７】
まず、検索手段２４に、上記ステップＳ２５で選択されたテーマに該当する音楽データを、メモリ１４に記録された音楽データの中から検索させ、該当する音楽データを上記音楽再生ユニット３０に再生開始させる（ステップＳ７１）。つづいて、検索手段２４に、上記ステップＳ２５で選択されたテーマに該当する画像データを上記メモリ１４に記録された画像データの中から検索させ、該当する画像データを上記表示手段８に一枚表示させる（ステップＳ７２）。なお、このステップＳ７２で表示させる画像データは、最近の撮影順等、ユーザーの好みに応じてどのような基準で選択しても構わない。
【００７８】
つづいて、再生中の上記音楽データの曲調が変化したか否かを判断する（ステップＳ７３）。なお、上記音楽データの曲調が、どのようなタイミングで変化するか等の詳細な情報を、データベース２２に記録させておいても勿論よい。このステップＳ７３において、曲調が変化したと判断した場合は、上記コンテンツ画像データの画像データを再生し（ステップＳ７４）、その後該画像データをフェイドアウトさせる（ステップＳ７５）。その後、上記ステップＳ７２へ戻る。
【００７９】
一方、上記ステップＳ７３において、曲調が変化していないと判断した場合には、ユーザーによる操作手段６ａの操作で、再生終了の操作が為されたか否かを判断する（ステップＳ７７）。このステップＳ７７において、再生終了の操作が為されたと判断した場合には、画像データ及び音楽データの再生を終了させて（ステップＳ７８）、図５Ｂに示すフローチャートへ戻る。また、上記ステップＳ７７で、再生終了の操作が為されていないと判断した場合には、上記ステップＳ７２へ戻る。
【００８０】
以上説明したように、本変形例によれば、ユーザー自身が撮影した画像データの他に、該画像データに関連した画像データを更に表示させることで、より豊かなイマジネーションを刺激する再生表示を行うことができる検索装置、検索再生装置及び画像再生装置を提供することができる。すなわち、本変形例に係る検索装置、検索再生装置及び画像再生装置によれば、ユーザーが撮影した画像データ、該画像データに対応した音楽データ、及び様々なコンテンツ画像データを駆使することで、思い出をより効果的に演出した鑑賞を楽しむことができる。
【００８１】
さらに、上述した実施形態及び変形例には種々の段階の発明が含まれており、開示される複数の構成要件の適当な組み合わせにより種々の発明が抽出され得る。例えば、実施形態及び変形例に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００８２】
【図１】（ａ）はデジタルカメラを構えて撮影を行う様子を示す図。（ｂ）は撮影により取得した画像データを、表示手段に表示させて鑑賞する様子を示す図。（ｃ）はデジタルカメラにおける画像データの検索時の表示画面の一例を示す図。
【図２】一実施形態に係るデジタルカメラの画像データの検索時における表示手段における検索時の画面の一例を示す図。
【図３】一実施形態に係るデジタルカメラのシステムブロック図。
【図４】テーブル形式で記録されている地域情報を示す図。
【図５Ａ】一実施形態に係るデジタルカメラにおけるＣＰＵによる動作制御の一例を示すフローチャートの第１部分を示す図。
【図５Ｂ】一実施形態に係るデジタルカメラにおけるＣＰＵによる動作制御の一例を示すフローチャートの第２部分を示す図。
【図６】全世界対応の日時情報取得ステップを示すサブルーチンを示す図。
【図７】分類のテーマに対応する音楽データの概念を示す図。
【図８】第１変形例における再生サブルーチンを示す図。
【図９】第１変形例における画像データ及び音楽データの再生概念を概略的に示す図。
【図１０】第２変形例における“次に表示する画像データの候補”を指定するステップの代替となる一連のステップを示す図。
【図１１】第２変形例における画像データの表示方法の一例を示す図。
【図１２】第３変形例におけるサブ画像等対応情報の概念を示す図。
【図１３】コンテンツ画像データの一例を示す図。それぞれ、（ａ）は超望遠写真、（ｂ）は天体写真、（ｃ）は水中写真を示す図。
【図１４】コンテンツ画像データの一例を示す図。それぞれ、（ａ）は世界地図、（ｂ）は作曲名の自筆楽譜、（ｃ）は有名な絵画を示す図。
【図１５】第４変形例における再生表示のサブルーチンを示す図。
【符号の説明】
【００８３】
４…デジタルカメラ、  ６ａ…操作手段、  ６…ＣＰＵ、  ８…表示手段、  １０…撮影ブロック、  １２…画像処理回路、  １４…メモリ、  １５…再生手段、  １６…ＧＰＳ手段、  １８…時計手段、  ２０…補正手段、  ２２…データベース、  ２４…検索手段、  ３０…音楽再生ユニット、  ３２…スピーカー。
【図１】
2007164269.tif 000003
【図２】
2007164269.tif 000004
【図３】
2007164269.tif 000005
【図４】
2007164269.tif 000006
【図５Ａ】
2007164269.tif 000007
【図５Ｂ】
2007164269.tif 000008
【図６】
2007164269.tif 000009
【図７】
2007164269.tif 000010
【図８】
2007164269.tif 000011
【図９】
2007164269.tif 000012
【図１０】
2007164269.tif 000013
【図１１】
2007164269.tif 000014
【図１２】
2007164269.tif 000015
【図１３】
2007164269.tif 000016
【図１４】
2007164269.tif 000017
【図１５】
2007164269.tif 000018